(57)【要約】【課題】  周辺環境の明るさによらず、画面のコントラストを高めることが可能な表示装置及び表示方法を提供する。【解決手段】  表示装置は、画像を表示する表示用のセルと、前記表示用のセルを背面から照明する光源部と、前記光源部から前記表示用のセルを介して出力される光量を調整する調光用のセルと、設定されるモードに応じて、前記表示用のセルと前記調光用のセルとの間の距離を制御する位置制御部とを有する。【選択図】図１
2020190631.tif 000002
【特許請求の範囲】
【請求項１】
画像を表示する表示用のセルと、
前記表示用のセルを背面から照明する光源部と、
前記光源部から前記表示用のセルを介して出力される光量を調整する調光用のセルと、
設定されるモードに応じて、前記表示用のセルと前記調光用のセルとの間の距離を制御する位置制御部と
を有することを特徴とする表示装置。
【請求項２】
前記位置制御部は、
第１のモードが設定された場合、前記表示用のセルと前記調光用のセルとの間の距離を長くする方向に、少なくとも前記表示用のセルを移動させ、
第２のモードが設定された場合、前記表示用のセルと前記調光用のセルとの間の距離を短くする方向に、少なくとも前記表示用のセルを移動させる、
ことを特徴とする請求項１に記載の表示装置。
【請求項３】
前記第１のモードが設定された場合、前記画像に含まれる一部のオブジェクト及び前記画像に含まれるオブジェクト以外の背景を、前記表示用のセルに表示し、前記画像の残りのオブジェクト及び前記画像に含まれるオブジェクト以外の背景を、前記調光用のセルに表示する表示制御部を更に有することを特徴とする請求項２に記載の表示装置。
【請求項４】
前記表示制御部は、
前記第２のモードが設定された場合、前記画像を前記表示用のセルに表示し、前記画像に含まれるオブジェクトが白色で前記画像に含まれるオブジェクト以外が黒色のモノクロ画像を、前記調光用のセルに表示することを特徴とする請求項３に記載の表示装置。
【請求項５】
ユーザの指示に基づいて、または、周辺環境の明るさに応じて、前記第１のモードまたは前記第２のモードのいずれか一方が設定されることを特徴とする請求項２に記載の表示装置。
【請求項６】
画像を表示する表示用のセルと、
前記表示用のセルを背面から照明する光源部と、
前記光源部から前記表示用のセルを介して出力される光量を調整する調光用のセルと、を有する表示装置の表示方法であって、
設定されるモードに応じて、前記表示用のセルと前記調光用のセルとの間の距離を制御する位置制御工程
を有することを特徴とする表示方法。
【発明の詳細な説明】
【技術分野】
【０００１】
本発明は、表示装置及び表示方法に関する。
【背景技術】
【０００２】
従来より、液晶表示装置（ＬＣＤ：Liquid Crystal Display）では、バックライトからの光漏れにより黒色が浮き、特に夜間において画面のコントラストが低下するといった問題があった。
【０００３】
一方、最近では、表示用のセルとバックライトとの間に調光用のセルを配して調光する構造が提案されている。当該構造によれば、画素単位で細かく調光することができるため、例えば、夜間において画面のコントラストを向上させるのに適用することが考えられる。
【先行技術文献】
【特許文献】
【０００４】
【特許文献１】特開２０１８−１２８６４１号公報
【非特許文献】
【０００５】
【非特許文献１】"ＰＨＩＬＥＷＥＢ"［平成３１年３月２３日検索］、インターネット＜URL：https://www.phileweb.com/news/d-av/201701/19/40376.html＞
【発明の概要】
【発明が解決しようとする課題】
【０００６】
しかしながら、上記のような複数のセルが配された構造の場合、外光の影響が大きい昼間において、充分なコントラストが得られないといった新たな問題が生じることになる。
【０００７】
本発明は上記課題に鑑みてなされたものであり、周辺環境の明るさによらず、画面のコントラストを高めることが可能な表示装置及び表示方法を提供することを目的とする。
【課題を解決するための手段】
【０００８】
一態様によれば、表示装置は、
画像を表示する表示用のセルと、
前記表示用のセルを背面から照明する光源部と、
前記光源部から前記表示用のセルを介して出力される光量を調整する調光用のセルと、
設定されるモードに応じて、前記表示用のセルと前記調光用のセルとの間の距離を制御する位置制御部とを有する。
【発明の効果】
【０００９】
周辺環境の明るさによらず、画面のコントラストを高めることが可能な表示装置及び表示方法を提供することができる。
【図面の簡単な説明】
【００１０】
【図１】表示システムのシステム構成の一例を示す図である。
【図２】第１のモードにおいて画面のコントラストを高める方法を説明するための図である。
【図３】第２のモードにおいて画面のコントラストを高める方法を説明するための図である。
【図４】表示装置の信号処理部のハードウェア構成の一例を示す図である。
【図５】表示装置の信号処理部の機能構成の一例を示す図である。
【図６】表示装置による表示処理の流れを示すフローチャートである。
【図７】表示処理の具体例を示す図である。
【発明を実施するための形態】
【００１１】
以下、各実施形態について添付の図面を参照しながら説明する。なお、本明細書及び図面において、実質的に同一の機能構成を有する構成要素については、同一の符号を付することにより重複した説明を省く。
【００１２】
［第１の実施形態］
＜表示システムのシステム構成＞
はじめに、第１の実施形態に係る表示装置を含む表示システムのシステム構成について説明する。図１は、表示システムのシステム構成の一例を示す図である。図１に示すように、表示システム１００は、制御装置１１０と表示装置１２０とを有する。
【００１３】
制御装置１１０は、表示装置１２０に表示する表示画像と、表示装置１２０の動作モードを示すモード情報と、表示装置１２０の光源部１６０を動作させる光源駆動信号とを含む入力信号を表示装置１２０に出力する。具体的には、制御装置１１０は、ユーザからの指示に基づいて、表示装置１２０を起動するとともに表示情報を取得し、取得した表示情報に基づいて表示画像を生成する。また、制御装置１１０は、ユーザからの指示に基づいてモード情報を取得する。更に、制御装置１１０は、生成した表示画像に光源駆動信号を付加し、取得したモード情報とともに、入力信号として、表示装置１２０に出力する。
【００１４】
なお、第１の実施形態において、表示装置１２０は、動作モードとして、昼間用モードと夜間用モードとを有し、モード情報＝"第１のモード"の場合、表示装置１２０は、昼間用モードで動作する。また、モード情報＝"第２のモード"の場合、表示装置１２０は、夜間用モードで動作する。
【００１５】
表示装置１２０は、制御装置１１０により出力された入力信号に基づいて、表示画像を表示する。図１に示すように、表示装置１２０は、信号処理部１３０と、位置制御部１４０と、画像表示部１４１と、位置制御部１５０と、調光部１５１と、光源部１６０とを有する。
【００１６】
信号処理部１３０は、入力信号に含まれるモード情報に応じて位置制御信号を生成し、位置制御部１４０、１５０に通知する。信号処理部１３０は、モード情報＝"第１のモード"の場合、画像表示部１４１と調光部１５１との間の距離を長くする方向に画像表示部１４１を移動させるための位置制御信号を生成し、位置制御部１４０に通知する。また、信号処理部１３０は、モード情報＝"第２のモード"の場合、画像表示部１４１と調光部１５１との間の距離を短くする方向に画像表示部１４１を移動させるための位置制御信号を生成し、位置制御部１４０に通知する。
【００１７】
なお、ここでは、信号処理部１３０が、画像表示部１４１と調光部１５１との間の距離を制御するにあたり、画像表示部１４１を移動させるための位置制御信号のみを生成し、位置制御部１４０に通知するものとして説明した。しかしながら、信号処理部１３０は、画像表示部１４１を移動させるための位置制御信号と、調光部１５１を移動させるための位置制御信号の両方を生成し、それぞれ、位置制御部１４０、１５０に通知してもよい。この場合、画像表示部１４１と調光部１５１の両方を移動させることで、画像表示部１４１と調光部１５１との間の距離を制御することになる。
【００１８】
また、信号処理部１３０は表示制御部としても機能する。具体的には、信号処理部１３０は、入力信号に含まれるモード情報に応じて、入力信号に含まれる表示画像を処理し、画像表示部１４１に通知する画像信号（例えば、ＲＧＢ画像信号）を生成する。また、信号処理部１３０は、入力信号に含まれるモード情報に応じて、入力信号に含まれる表示画像を処理し、調光部１５１に通知するローカルディミング信号（例えば、モノクロ画像信号またはＲＧＢ画像信号）を生成する。また、信号処理部１３０は、生成した画像信号を画像表示部１４１に、生成したローカルディミング信号を調光部１５１にそれぞれ通知する。
【００１９】
更に、信号処理部１３０は、入力信号に含まれる光源駆動信号を、光源部１６０に通知する。
【００２０】
位置制御部１４０は、信号処理部１３０から通知された位置制御信号に応じて、不図示のモータを駆動することで画像表示部１４１を移動させ、画像表示部１４１の位置を制御する。
【００２１】
画像表示部１４１は、いわゆる表示用のセルとして機能し、信号処理部１３０から通知された画像信号に基づいて動作する。
【００２２】
位置制御部１５０は、信号処理部１３０から通知された位置制御信号に応じて、不図示のモータを駆動することで調光部１５１を移動させ、調光部１５１の位置を制御する。
【００２３】
調光部１５１は、いわゆる調光用のセルまたは表示用のセルとして機能し、信号処理部１３０から通知されたローカルディミング信号に基づいて動作する。
【００２４】
光源部１６０は、バックライトとして機能するＬＥＤ（Light Emitting Diode）装置であり、信号処理部１３０から通知された光源駆動信号に基づいて動作する。
【００２５】
＜第１のモードにおいて画面のコントラストを高める方法＞
次に、モード情報＝"第１のモード"において、画面のコントラストを高める方法について説明する。図２は、第１のモードにおいて画面のコントラストを高める方法を説明するための図である。なお、ここでは、説明の簡略化のため、以下のような表示画像を表示する場合について説明する。
・オブジェクトとして、赤色の「Ａ」の文字が含まれる。
・オブジェクトとして、青色の枠が含まれる。
・２つのオブジェクトのうち、赤色の「Ａ」の文字の方が、青色の枠よりも表示の優先順位が高い（赤色の「Ａ」の文字＝優先標記、青色の枠＝非優先標記）。
・オブジェクトの背景は黒色である。
【００２６】
モード情報＝"第１のモード"において、上記表示画像を表示する場合、図２（ａ）に示すように、画像表示部１４１には、赤色の「Ａ」の文字と、黒色の背景とを含む表示画像（ＲＧＢ画像）（ただし、青色の枠に対応する領域は白色の表示画像）が表示される。また、調光部１５１には、青色の枠と、黒色の背景とを含む表示画像（ＲＧＢ画像）（ただし、赤色の「Ａ」の文字に対応する領域は白色の表示画像）が表示される。
【００２７】
また、モード情報＝"第１のモード"の場合、図２（ｂ）に示すように、画像表示部１４１は、調光部１５１から所定の距離だけ離れた位置に移動する。画像表示部１４１と調光部１５１との間の距離は、例えば、１０［ｍｍ］程度である。
【００２８】
このように、モード情報＝"第１のモード"では、優先順位の高い一部のオブジェクト及び背景を、優先順位の低い残りのオブジェクト及び背景よりも、光源部１６０から離れた位置（ユーザに近い位置）で表示する。これにより、表示装置１２０を正面方向から見た場合に、ユーザはオブジェクトについて立体感を得ることができる。また、優先順位の高い一部のオブジェクトと背景との間のコントラストを、優先順位の低い残りのオブジェクトと背景との間のコントラストよりも高めることができる。
【００２９】
図２（ｃ）は、モード情報＝"第１のモード"において、上記表示画像を、上記方法で表示した場合の表示例を模式的に示したものである。図２（ｃ）に示すように、優先順位の高い赤色の「Ａ」の文字が、優先順位の低い青色の枠よりも手前に浮き上がって見えるとともに、画面のコントラストを高めることができる。
【００３０】
＜第２のモードにおいて画面のコントラストを高める方法＞
次に、モード情報＝"第２のモード"において、画面のコントラストを高める方法について説明する。図３は、第２のモードにおいて画面のコントラストを高める方法を説明するための図である。なお、ここでも、説明の簡略化のため、以下のような表示画像を表示する場合について説明する。
・オブジェクトとして、赤色の「Ａ」の文字が含まれる。
・オブジェクトとして、青色の枠が含まれる。
・２つのオブジェクトのうち、赤色の「Ａ」の文字の方が、青色の枠よりも表示の優先順位が高い（赤色の「Ａ」の文字＝優先標記、青色の枠＝非優先標記）。
・オブジェクトの背景は黒色である。
【００３１】
モード情報＝"第２のモード"において、上記表示画像を表示する場合、図３（ａ）に示すように、画像表示部１４１には、赤色の「Ａ」の文字と、青色の枠と、黒色の背景とを含む表示画像（ＲＧＢ画像）が表示される。また、調光部１５１には、赤色の「Ａ」の文字に対応する領域と、青色の枠に対応する領域とが白色で、背景が黒色の表示画像（モノクロ画像）が表示される。
【００３２】
また、モード情報＝"第２のモード"の場合、図３（ｂ）に示すように、画像表示部１４１は、調光部１５１との隙間をなくす位置に移動する。
【００３３】
このように、モード情報＝"第２のモード"では、画像表示部１４１と調光部１５１とで、背景の黒色を表示する。これにより、表示装置１２０では、光源部１６０からの光漏れを防ぎ、締まった黒色を表示することができる。
【００３４】
図３（ｃ）は、モード情報＝"第２のモード"において、上記表示画像を、上記方法で表示した場合の表示例を模式的に示したものである。図３（ｃ）に示すように、背景の黒色が締まって見えることで、画面のコントラストを高めることができる。
【００３５】
＜表示装置の信号処理部のハードウェア構成＞
次に、表示装置１２０の信号処理部１３０のハードウェア構成について説明する。図４は、表示装置の信号処理部のハードウェア構成の一例を示す図である。図４に示すように、信号処理部１３０は、ＣＰＵ（Central Processing Unit）４０１、ＲＯＭ（Read Only Memory）４０２、ＲＡＭ（Random Access Memory）４０３を有する。また、信号処理部１３０は、ＧＰＵ（Graphic Processing Unit）４０４、Ｉ／Ｆ（Interface）装置４０５を有する。なお、信号処理部１３０の各部は、バス４０６を介して相互に接続されている。
【００３６】
ＣＰＵ４０１は、ＲＯＭ４０２にインストールされている各種プログラム（例えば、後述する表示プログラム等）を実行するデバイスである。ＲＯＭ４０２は、不揮発性メモリであり、ＣＰＵ４０１によって実行される各種プログラムを格納する、主記憶デバイスとして機能する。ＲＡＭ４０３は、ＤＲＡＭ（Dynamic Random Access Memory）やＳＲＡＭ（Static Random Access Memory）等の揮発性メモリである。ＲＡＭ４０３は、ＲＯＭ４０２にインストールされている各種プログラムがＣＰＵ４０１によって実行される際に展開される作業領域を提供する、主記憶デバイスとして機能する。
【００３７】
ＧＰＵ４０４は、画像処理を行う専用の集積回路であり、第１の実施形態では、表示プログラムを実行するＣＰＵ４０１からの指示に基づき、各種信号（画像信号、ローカルディミング信号）を生成する。Ｉ／Ｆ装置４０５は、制御装置１１０と表示装置１２０とを接続するための接続デバイスである。
【００３８】
＜表示装置の信号処理部の機能構成＞
次に、表示装置１２０の信号処理部１３０の機能構成について説明する。図５は、表示装置の信号処理部の機能構成の一例を示す図である。上述したとおり、信号処理部１３０には表示プログラムがインストールされている。そして、信号処理部１３０は、当該表示プログラムをＣＰＵ４０１が実行することで、モード判定部５１０、分類部５２０、位置制御信号生成部５３０、画像信号生成部５４０、位置制御信号生成部５５０、ローカルディミング信号生成部５６０として機能する。
【００３９】
モード判定部５１０は、制御装置１１０より出力された入力信号に含まれるモード情報を取得し、表示装置１２０の動作モードを判定する。モード判定部５１０は、判定した動作モードを、分類部５２０、位置制御信号生成部５３０、５５０に通知する。
【００４０】
分類部５２０は、制御装置１１０より出力された入力信号に含まれる表示画像を取得し、画像信号及びローカルディミング信号の生成に必要な情報を、動作モードに応じて出力する。
【００４１】
図５において、テーブル５７０は、画像信号及びローカルディミング信号の生成に必要な情報を、動作モードごとに示したテーブルである。テーブル５７０に示すように、昼間用モード（モード情報＝"第１のモード"）の場合、画像信号の生成には、
・優先標記領域及び優先標記領域の色情報（カラー）、
・非優先標記領域及び非優先標記領域の色情報（白色）、
・背景領域及び背景領域の色情報（黒色）
が必要となる。したがって、昼間用モードの場合、分類部５２０は、これらの情報を画像信号生成部５４０に通知する。
【００４２】
また、テーブル５７０に示すように、昼間用モード（モード情報＝"第１のモード"）の場合、ローカルディミング信号の生成には、
・優先標記領域及び優先標記領域の色情報（白色）、
・非優先標記領域及び非優先標記領域の色情報（カラー）、
・背景領域及び背景領域の色情報（黒色）、
が必要となる。したがって、昼間用モードの場合、分類部５２０は、これらの情報をローカルディミング信号生成部５６０に通知する。
【００４３】
また、テーブル５７０に示すように、夜間用モード（モード情報＝"第２のモード"）の場合、画像信号の生成には、
・優先標記領域及び優先標記領域の色情報（カラー）、
・非優先標記領域及び非優先標記領域の色情報（カラー）、
・背景領域及び背景領域の色情報（黒色）、
が必要となる。したがって、夜間用モードの場合、分類部５２０は、これらの情報を画像信号生成部５４０に通知する。
【００４４】
また、テーブル５７０に示すように、夜間用モード（モード情報＝"第２のモード"）の場合、ローカルディミング信号の生成には、
・優先標記領域及び優先標記領域の色情報（白色）、
・非優先標記領域及び非優先標記領域の色情報（白色）、
・背景領域及び背景領域の色情報（黒色）、
が必要となる。したがって、夜間用モードの場合、分類部５２０は、これらの情報をローカルディミング信号生成部５６０に通知する。
【００４５】
位置制御信号生成部５３０は、モード判定部５１０より通知された動作モードに応じて、画像表示部１４１を移動させるための位置制御信号を生成する。画像信号生成部５４０は、分類部５２０より通知された情報に基づいて、画像信号を生成し、画像表示部１４１に通知する。
【００４６】
位置制御信号生成部５５０は、モード判定部５１０より通知された動作モードに応じて、調光部１５１を移動させるための位置制御信号を生成する。ローカルディミング信号生成部５６０は、分類部５２０より通知された情報に基づいて、ローカルディミング信号を生成し、調光部１５１に通知する。
【００４７】
＜表示装置による表示処理の流れ＞
次に、表示装置１２０による表示処理の流れについて説明する。図６は、表示装置による表示処理の流れを示すフローチャートである。
【００４８】
ステップＳ６０１において、信号処理部１３０は、制御装置１１０から出力された入力信号を受信し、モード判定部５１０は入力信号に含まれるモード情報を取得する。また、分類部５２０は、入力信号に含まれる表示画像を取得する。
【００４９】
ステップＳ６０２において、モード判定部５１０は、取得したモード情報に基づいて、表示装置１２０の動作モードを判定する。ステップＳ６０２において、モード判定部５１０が、昼間用モードであると判定した場合には、ステップＳ６１１に進む。
【００５０】
ステップＳ６１１において、位置制御信号生成部５３０（及び位置制御信号生成部５５０）は、画像表示部１４１（及び調光部１５１）が昼間用モードに応じた位置に既に移動しているか否かを判定する。ステップＳ６１１において、昼間用モードに応じた位置に未だ移動していないと判定した場合には（ステップＳ６１１においてＮｏの場合には）、ステップＳ６１２に進む。
【００５１】
ステップＳ６１２において、位置制御信号生成部５３０（及び位置制御信号生成部５５０）は、画像表示部１４１（及び調光部１５１）を昼間用モードに応じた位置に移動させるための位置制御信号を生成する。また、位置制御信号生成部５３０（及び位置制御信号生成部５５０）は、位置制御信号を位置制御部１４０（及び位置制御部１５０）に通知し、画像表示部１４１（及び調光部１５１）を昼間用モードに応じた位置に移動させる。その後、ステップＳ６１３に進む。
【００５２】
一方、ステップＳ６１１において、昼間用モードに応じた位置に既に移動していると判定した場合には（ステップＳ６１１においてＹｅｓの場合には）、直接、ステップＳ６１３に進む。
【００５３】
ステップＳ６１３において、分類部５２０は、優先標記領域及び優先標記領域の色情報、非優先標記領域及び非優先標記領域の色情報、背景領域及び背景領域の色情報を、画像信号生成部５４０に通知する。ステップＳ６１４において、画像信号生成部５４０は、分類部５２０より通知された情報に基づいて画像信号を生成し、画像表示部１４１に通知する。
【００５４】
ステップＳ６１５において、分類部５２０は、優先標記領域及び優先標記領域の色情報、非優先標記領域及び非優先標記領域の色情報、背景領域及び背景領域の色情報を、ローカルディミング信号生成部５６０に通知する。
【００５５】
ステップＳ６１６において、ローカルディミング信号生成部５６０は、ローカルディミング信号を生成し、分類部５２０より通知された情報に基づいて調光部１５１に通知する。
【００５６】
一方、ステップＳ６０２において、モード判定部５１０が、夜間用モードであると判定した場合には、ステップＳ６２１に進む。ステップＳ６２１において、位置制御信号生成部５３０（及び位置制御信号生成部５５０）は、画像表示部１４１（及び調光部１５１）が夜間用モードに応じた位置に既に移動しているか否かを判定する。ステップＳ６２１において、夜間用モードに応じた位置に未だ移動していないと判定した場合には（ステップＳ６２１においてＮｏの場合には）、ステップＳ６２２に進む。
【００５７】
ステップＳ６２２において、位置制御信号生成部５３０（及び位置制御信号生成部５５０）は、画像表示部１４１（及び調光部１５１）を夜間用モードに応じた位置に移動させるための位置制御信号を生成する。また、位置制御信号生成部５３０（及び位置制御信号生成部５５０）は、位置制御信号を位置制御部１４０（及び位置制御部１５０）に通知し、画像表示部１４１（及び調光部１５１）を、夜間用モードに応じた位置に移動させる。その後、ステップＳ６２３に進む。
【００５８】
一方、ステップＳ６２１において、夜間用モードに応じた位置に既に移動していると判定した場合には（ステップＳ６２１においてＹｅｓの場合には）、直接、ステップＳ６２３に進む。
【００５９】
ステップＳ６２３において、分類部５２０は、優先標記領域及び優先標記領域の色情報、非優先標記領域及び非優先標記領域の色情報、背景領域及び背景領域の色情報を、画像信号生成部５４０に通知する。ステップＳ６２４において、画像信号生成部５４０は、分類部５２０より通知された情報に基づいて画像信号を生成し、画像表示部１４１に通知する。
【００６０】
ステップＳ６２５において、分類部５２０は、優先標記領域及び優先標記領域の色情報、非優先標記領域及び非優先標記領域の色情報、背景領域及び背景領域の色情報を、ローカルディミング信号生成部５６０に通知する。
【００６１】
ステップＳ６２６において、ローカルディミング信号生成部５６０は、分類部５２０より通知された情報に基づいてローカルディミング信号を生成し、調光部１５１に通知する。
【００６２】
ステップＳ６３１において、信号処理部１３０は、表示処理を終了するか否かを判定する。ステップＳ６３１において、表示処理を終了しないと判定した場合には（ステップＳ６３１においてＮｏの場合には）、ステップＳ６０１に戻る。一方、ステップＳ６３１において、表示処理を終了すると判定した場合には（ステップＳ６３１においてＹｅｓの場合には）、表示処理を終了する。
【００６３】
＜表示処理の具体例＞
次に、表示装置１２０による表示処理の具体例について説明する。図７は、表示処理の具体例を示す図である。ここでは、表示装置１２０として、車載の表示装置（メータパネル）を具体例に挙げて説明する。また、表示装置１２０が夜間用モードで動作する場合について説明する。
【００６４】
図７（ａ）は、調光部１５１に表示される表示画像の一例である。図７（ａ）に示すように、夜間用モードの場合、調光部１５１には、表示画像に含まれるオブジェクトの領域（優先標記領域、非優先標記領域）が白色で、表示画像に含まれるオブジェクト以外の領域（背景領域）が黒色のモノクロ画像が表示される。これにより、光源部１６０により発光された光は、表示画像に含まれるオブジェクトの領域（優先標記領域、非優先標記領域）を介して、画像表示部１４１に到達する。
【００６５】
図７（ｂ）は、画像表示部１４１に表示される表示画像の一例である。図７（ｂ）に示すように、画像表示部１４１には、表示画像に含まれるオブジェクトの領域（優先標記領域、非優先標記領域）がカラーで表示される。また、表示画像に含まれるオブジェクトの領域以外の領域（背景領域）が黒色で表示される。
【００６６】
図７（ｃ）は、調光部１５１及び画像表示部１４１にそれぞれ表示画像が表示された状態で、表示装置１２０を正面方向から見た様子を示している。図７（ｃ）に示すように、表示装置１２０によれば、背景の黒色が締まって見えることで、画面のコントラストを高めることができる。
【００６７】
＜まとめ＞
以上の説明から明らかなように、第１の実施形態に係る表示装置１２０は、
・表示画像を表示する画像表示部（表示用のセル）を有する。
・画像表示部を背面から照明する光源部を有する。
・光源部から画像表示部を介して出力される光量を調整する調光部（調光用のセル）を有する。
・昼間用モードか夜間用モードかの設定に応じて、画像表示部と調光部との間の距離を制御する位置制御部を有する。
【００６８】
これにより、第１の実施形態に係る表示装置１２０によれば、昼間用モードの場合、画像表示部と調光部との間の距離により、ユーザは優先順位の高いオブジェクトが浮き上がって見えるとともに、画面のコントラストを高めることができる。また、第１の実施形態に係る表示装置１２０によれば、夜間用モードの場合、画像表示部に表示される背景の黒色と調光部に表示される背景の黒色とにより、ユーザには背景の黒色が締まって見えることで、画面のコントラストを高めることができる。
【００６９】
つまり、第１の実施形態に係る表示装置１２０によれば、周辺環境の明るさによらず、画面のコントラストを高めることができる。
【００７０】
［第２の実施形態］
上記第１の実施形態では、モード情報＝"第１のモード"の場合、画像表示部１４１と調光部１５１との間の距離を、１０［ｍｍ］程度に制御するものとして説明した。しかしながら、画像表示部１４１と調光部１５１との間の距離は、これに限定されない。例えば、ユーザが表示装置１２０を見る際の距離に応じた距離に制御するように構成してもよい。
【００７１】
また、上記第１の実施形態では、優先標記の具体例について特に言及しなかったが、例えば、表示装置１２０が、車載のメータパネルの場合にあっては、重要度が高い標記を優先標記として規定してもよい。車載のメータパネルにおいて重要度が高い標記としては、例えば、速度表示、警告表示等が挙げられる。一方、重要度が低い標記を、非優先標記として規定してもよい。車載のメータパネルにおいて重要度が低い標記としては、例えば、装飾標記や、アンビエントライト標記等が挙げられる。また、表示装置が車載のナビゲーション装置の場合にあっては、自車位置のマークを優先標記として規定し、地図を非優先標記として規定してもよい。
【００７２】
また、上記第１の実施形態では、モード情報をユーザからの指示に基づいて取得するものとして説明した。しかしながら、モード情報の取得方法はこれに限定されない。例えば、周辺環境の明るさを検知する照度計を配し、照度計の計測結果に基づいて、モード情報を取得するように構成してもよい。
【００７３】
なお、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【００７４】
１００          ：表示システム
１１０          ：制御装置
１２０          ：表示装置
１３０          ：信号処理部
１４０          ：位置制御部
１４１          ：画像表示部
１５０          ：位置制御部
１５１          ：調光部
１６０          ：光源部
５１０          ：モード判定部
５２０          ：分類部
５３０          ：位置制御信号生成部
５４０          ：画像信号生成部
５５０          ：位置制御信号生成部
５６０          ：ローカルディミング信号生成部
【図１】
2020190631.tif 000003
【図２】
2020190631.tif 000004
【図３】
2020190631.tif 000005
【図４】
2020190631.tif 000006
【図５】
2020190631.tif 000007
【図６】
2020190631.tif 000008
【図７】
2020190631.tif 000009